(57)【要約】【課題】省力化を実現でき、且つ確実に止水を行うことが可能な止水方法を提供する。【解決手段】建物の亀裂が入った地下壁２０の壁面にポリマーセメントモルタルなどの接着材３０を塗布し、片面にＥＶＡシート１４が固着された止水パネル１０を、ＥＶＡシート１４が接着材３０と密着するように地下壁２０に押圧することによって、地下壁２０の壁面に貼着する。【選択図】図５
2008196158.tif 000002
【特許請求の範囲】
【請求項１】
建物の地下壁における漏水を止水する止水方法であって、
前記地下壁の壁面に接着材を塗布し、片面にシート状の止水材が固着された板状の止水パネルを、前記止水材が前記接着材と密着するように前記壁面に押圧することによって、前記壁面に貼着する、ことを特徴とする止水方法。
【請求項２】
複数の前記止水パネルを、前記壁面に並べて貼着することを特徴とする請求項１に記載の止水方法。
【請求項３】
少なくとも水平方向に隣接する前記止水パネル間には、所定間隔の隙間を設け、
前記隙間に、一端側を前記地下壁に埋設させ、他端側を前記壁面から突出させた棒材を配設し、
前記所定間隔よりも横幅の長い押圧片を、前記棒材の前記他端側に固定することによって、水平方向に隣接する前記止水パネルを前記壁面に押圧する、
ことを特徴とする請求項２に記載の止水方法。
【請求項４】
前記止水パネルを前記壁面に貼着した後、前記押圧片、及び前記棒材の前記他端側を除去し、
前記隙間を覆うカバー部材を設置する、
ことを特徴とする請求項３に記載の止水方法。
【請求項５】
前記カバー部材の内側は空洞であり、当該内側に、漏水を流す導水層が形成されることを特徴とする請求項４に記載の止水方法。
【請求項６】
前記接着材は、セメント系材料であり、
前記止水材は、表面が起毛したエチレン酢酸ビニル樹脂系シートである、
ことを特徴とする請求項１乃至５の何れかに記載の止水方法。
【発明の詳細な説明】
【技術分野】
【０００１】
本発明は、止水方法に関する。
【背景技術】
【０００２】
建物におけるコンクリート壁は、様々な原因（例えばコンクリート収縮）によって、亀裂（クラック、ひび割れともいう）の発生することがある。コンクリート壁の亀裂は、美観を損ねるのみでなく、例えば地下壁の場合、地下水が地下室内へと流れ込む漏水の原因ともなる。このように亀裂によって漏水が生じるようになった場合には、補修を行うことが必要である。また、既存建物に限らず、新築建物においても、敷地条件の制約等により地下壁の外防水ができない場合など、地下室の内側からの内防水を施す必要がある。
【０００３】
しかし、地下壁の漏水は、水圧がかかるため補修を行っても再度漏水することが多く、完全に止水を行うことは困難である。そこで、従来の地下壁の止水方法として、亀裂部分の漏水を補修によって抑えた後、例えばシート状の止水材（例えば特許文献１参照）を壁面全体に貼着して止水材の層（以下止水層と称する）を形成し、さらに止水層上にセメント系材料（例えばモルタル）の層を形成する方法が知られている。
【特許文献１】登実３０４６３１６号公報
【発明の開示】
【発明が解決しようとする課題】
【０００４】
しかしながら、上述したような止水方法では、例えば地下壁の壁面の面積が大きいほど、止水材を貼着する作業が困難になり、多大な労力が必要となった。さらに、止水層上にセメント系材料の層を形成しなくてはならず、この作業にも手間がかかった。
【０００５】
本発明は、上記のような課題に鑑みてなされたものであって、その目的は、従来よりも省力化を実現でき、且つ確実に止水を行うことが可能な止水方法を提供することにある。
【課題を解決するための手段】
【０００６】
かかる目的を達成するために、本発明は、建物の地下壁における漏水を止水する止水方法であって、前記地下壁の壁面に接着材を塗布し、片面にシート状の止水材が固着された板状の止水パネルを、前記止水材が前記接着材と密着するように前記壁面に押圧することによって、前記壁面に貼着する、ことを特徴とする。このような止水方法によれば、片面に止水材が固着された止水パネルを地下壁の壁面に貼着することで止水を行うことができる。よって、従来の止水方法よりも省力化を実現でき、且つ確実に止水を行うことが可能である。
【０００７】
かかる止水方法において、複数の前記止水パネルを、前記壁面に並べて貼着することが好ましい。このような止水方法によれば、壁面の大きさに関わらず、適宜の大きさの止水パネルを用いることができ、持ち運びや貼着の作業が容易になる。また、止水パネルを壁面に並べて貼着することによって、壁面の美観性を改善することが可能である。
【０００８】
また、かかる止水方法において、少なくとも水平方向に隣接する前記止水パネル間には、所定間隔の隙間を設け、前記隙間に、一端側を前記地下壁に埋設させ、他端側を前記壁面から突出させた棒材を配設し、前記所定間隔よりも横幅の長い押圧片を、前記棒材の前記他端側に固定することによって、水平方向に隣接する前記止水パネルを前記壁面に押圧する、ことが好ましい。このような止水方法によれば、容易に且つ確実に止水パネルを壁面に貼着することが可能である。
【０００９】
また、かかる止水方法において、前記止水パネルを前記壁面に貼着した後、前記押圧片、及び前記棒材の前記他端側を除去し、前記隙間を覆うカバー部材を設置する、ことが好ましい。このような止水方法によれば、水平方向に隣接する止水パネル間の隙間を覆い隠すことができ、美観性を改善することが可能である。
【００１０】
また、かかる止水方法において、前記カバー部材の内側は空洞であり、当該内側に、漏水を流す導水層が形成されることが好ましい。このような止水方法によれば、隙間に形成される導水層を通して、漏水を床下に流すことができる。
【００１１】
また、かかる止水方法において、前記接着材は、セメント系材料であり、前記止水材は、表面が起毛したエチレン酢酸ビニル樹脂系シートであることが好ましい。セメント系材料のセメントの成分はエチレン酢酸ビニル樹脂系シートの起毛部分に浸込んで毛を掴んで固まるので、セメント系材料とエチレン酢酸ビニル樹脂系シートとの付着強度は強い。よって、止水パネルを地下壁の壁面に確実に貼着することができる。また、エチレン酢酸ビニル樹脂系シートは伸び性、及び止水性に優れており、地下壁の亀裂に追随することができ、確実に止水を行うことができる。
【発明の効果】
【００１２】
本発明によれば、省力化を実現でき、且つ確実に止水を行うことが可能である。
【発明を実施するための最良の形態】
【００１３】
以下、本発明の一実施形態について図面に基づいて説明する。
【００１４】
≪止水パネルの構成≫
図１は、本実施形態で使用する止水パネル１０の構成を示す図である。図１（ａ）は斜視図、図１（ｂ）は側面図である。
【００１５】
図１に示す止水パネル１０は、板状部材１２と、エチレン酢酸ビニル樹脂系シート（以下、ＥＶＡシートと称する）１４を備えている。
【００１６】
板状部材１２は、セメント系材料（例えばモルタル）で形成されている。板状部材１２の正面形状は、例えば長方形（例えば１ｍ×２ｍ）であり、その厚さは、例えば１０ｍｍである。
【００１７】
ＥＶＡシート１４は、伸び率、セメント系材料との付着強度、及び止水性に優れたシート状の止水材であり、板状部材１２の片面（紙面下側の面）に固着されている。ＥＶＡシート１４の厚さは、例えば１ｍｍである。
【００１８】
図２は、ＥＶＡシート１４の構造を説明するための図である。図２に示すようにＥＶＡシート１４は、シート本体１４ａと、シート本体１４ａの表面に形成された起毛層１４ｂとを備えている。このように、ＥＶＡシート１４に起毛層１４ｂが形成されていることによって、セメント系材料のセメントの成分が起毛層１４ｂの間に浸込んで毛を掴んで固まるため、セメント系材料との付着強度及び密着性が高まることになる。
【００１９】
≪止水パネルの製造方法≫
次に、図３（ａ）〜（ｄ）を参照しつつ、止水パネル１０の製造方法の一例について説明する。図３（ａ）〜（ｄ）は、止水パネル１０の製造方法の一例を示す図である。
【００２０】
まず、図３（ａ）に示すように、ベニヤ型枠面に突起１８が形成された所定形状の形成型枠１６内に水セメント比が４０％以下のモルタル１１を流し込む。なお、形成型枠１６には、塗装合板を使用している。塗装合板とは、表面を塗装仕上げしてある特殊合板のことである。
【００２１】
形成型枠１６内にモルタル１１を流し込んだ後、モルタル１１を平滑に均し、直ちに、図３（ｂ）に示すように、モルタル１１上にＥＶＡシート１４を配置する。
【００２２】
形成型枠１６に流し込んだモルタル１１において、水セメント比が４０％よりも大の場合、セメント粒子の沈降に伴って水分が上面に集まってくる現象（ブリージング）の発生する可能性が高く、ＥＶＡシート１４とモルタル１１との付着強度が低下する虞がある。そこで、本実施形態では、モルタル１１に水セメント比が４０％以下のものを適用している。このように、モルタル１１として水セメント比が４０％以下のものを適用することによって、ブリージングの発生を防止することができ、ＥＶＡシート１４とモルタル１１との付着強度を高めることが可能となる。
【００２３】
そして、図３（ｃ）に示すように、ＥＶＡシート１４上に、例えばベニヤ板などの重し１９を載置する。重し１９は、その自重によって、ＥＶＡシート１４をモルタル１１に圧接させる。この状態で、例えば約１日間養生する。
【００２４】
養生後、モルタル１１は硬化して板状部材１２となる。そして、形成型枠１６から脱型を行うと、図３（ｄ）に示すように、板状部材１２の片面にＥＶＡシート１４が固着された止水パネル１０が得られる。ＥＶＡシート１４と板状部材１２とは、例えば１０ｋｇｆ/ｃｍ２の強い付着強度を有している。また、形成型枠１６に、塗装合板を使用することによって、止水パネル１０の仕上げ面（ＥＶＡシート１４が形成されていない側の表面）を綺麗に形成することができる。
【００２５】
≪止水パネルを用いた止水方法≫
次に、図４、図５を参照しつつ、止水パネル１０を用いた止水方法について説明する。  
図４（ａ）〜(ｄ)は、本発明の実施形態に係る止水方法の一例を説明するための図である。また、図５（ａ）〜（ｄ）は、それぞれ図４（ａ）〜（ｄ）の水平断面図である。なお、図５（ａ）〜（ｄ）は、後述するアンカーボルト２２の設置間における水平断面を示している。
【００２６】
図４（ａ）に示すように、建物のコンクリートの地下壁２０の壁面には亀裂ａが生じている。まず、補修により亀裂ａの漏水を抑えた後、地下壁２０の縦ライン（鉛直方向）に沿ってドリル等で孔を開け、アンカーボルト２２（棒材）を配設する。
【００２７】
アンカーボルト２２は、図５（ａ）に示すように、一端側が地下壁２０に埋設され、他端側が地下壁２０の壁面から突出している。なお、図５（ａ）に示すアンカーボルト２２の壁面からの突出長さｄは、止水パネル１０の厚さと、後述する接着材３０の膜厚との加算値よりも十分大きくなるようにしておく。
【００２８】
次に、図５（ｂ）に示すように、セメント系材料の接着材３０（例えばポリマーセメントモルタル）を地下壁２０の壁面に塗布し、止水パネル１０を、ＥＶＡシート１４が接着材３０と密着するようにして、地下壁２０に取り付ける。この際、水平方向に隣接する止水パネル１０には、アンカーボルト２２の設置箇所を含めて所定間隔（例えば５ｃｍ程度）の隙間を設けておく。
【００２９】
水平方向に隣接する止水パネル１０の配置後、アンカーボルト２２の他端側に、図４（ｂ）に示すような例えばＶ字型の留め金具２４（押圧片）の開口部（不図示）を挿通し、アンカーボルト２２と螺合するナット２６で締め付けを行う。この留め金具２４は、水平方向に隣接する止水パネル１０の隙間（例えば５ｃｍ）よりも横幅が長く形成されている。従って、ナット２６の締め付けによって、留め金具２４は、止水パネル１０を地下壁２０に押圧した状態で固定される。なお、本実施形態では、図４（ｂ）に示すように鉛直方向に隣接する止水パネル１０には、隙間を設けないこととしているが、鉛直方向にも同様に例えば５ｃｍ程度の隙間を設けるようにしてもよい。
【００３０】
この状態で、接着材３０が固まるまで待機する。前述したようにＥＶＡシート１４はセメント系材料との付着強度が強い（例えば１０ｋｇｆ/ｃｍ２）ので、接着材３０によって止水パネル１０は確実に地下壁２０に貼着される。
【００３１】
止水パネル１０の貼着後、図３（ｃ）、図４（ｃ）に示すようにナット２６をアンカーボルト２２から外して、留め金具２４を除去する。さらに、アンカーボルト２２の壁面からの突出部分（他端側）をサンダー等で切断して除去し、アンカーボルト２２ａとする。
【００３２】
そして、図４（ｄ）に示すように、水平方向に隣接する止水パネル１０間の隙間の溝を、例えば断面コ字状のカバー部材３２で覆い、止水パネル１０の端面とカバー部材３２の側面との間を弾性エポキシ樹脂３４によってシールする。このカバー部材３２の断面コ字状の内側は、例えば亀裂ａから流れる漏水を、床下に流す導水層となる。このため、カバー部材３２は、耐腐食性の材料で形成されることが好ましい。耐腐食性の材料としては、例えばアルミやステンレスのような金属系のものや、樹脂系のものが挙げられる。なお、通常、床には溝（不図示）が形成されており、導水層を流れる水は溝を通して、床下の集水ピット（不図示）に流れるようになっている。
【００３３】
本実施形態では、カバー部材３２として断面コ字状のものを使用することとしたが、これ以外の形状(例えば断面Ｕ字状、断面Ｃ字状)のものを使用してもよい。また、止水パネル１０間の隙間を弾性エポキシ樹脂３４で完全に埋めて止水を行うようにしてもよい。
【００３４】
以上説明したように、本発明によれば、建物の地下壁２０の壁面に、接着材３０を用いて、ＥＶＡシート１４が片面に固着された止水パネル１０を貼着するという容易な作業によって、止水を行うことができる。よって省力化を実現でき、また、ＥＶＡシート１４によって確実に止水を行うことができる。
【００３５】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３６】
【図１】止水パネルの構成を示す図である。
【図２】ＥＶＡシートの構造を説明するための図である。
【図３】止水パネルの製造方法を説明するための図である。
【図４】本発明の実施形態に係る止水方法を説明するための図である。
【図５】図４の水平断面図である。
【符号の説明】
【００３７】
１０  止水パネル
１１  モルタル
１２  板状部材
１４  ＥＶＡシート
１４ａ  シート本体
１４ｂ  起毛層
１６  形成型枠
１８  突起
１９  重し
２０  地下壁
２２、２２ａ  アンカーボルト
２４  留め金具
２６  ナット
３０  接着材
３２  カバー部材
３４  弾性エポキシ樹脂
【図２】
2008196158.tif 000003
【図１】
2008196158.tif 000004
【図３】
2008196158.tif 000005
【図４】
2008196158.tif 000006
【図５】
2008196158.tif 000007